(57)【要約】本発明は、既存のトイレを使わなくても手使用が可能な老若男女誰も携帯しながら急な尿意や排尿を処理することができる携帯型小便器を提供することがその技術的課題である。このために、本発明の携帯型小便器は、携帯型小便器であり、高吸水性樹脂を含んだ水分凝固層と、前記水分凝固層を支持して中間が開口された中空部をを有する板形支持部材と、及び前記板形支持部材を英文アルファベット「Ｃ」字形態で維持させる形態維持ワイヤを含む。【選択図】図２
2019512305.tif 000002
【特許請求の範囲】
【請求項１】
携帯型小便器であり、
高吸水性樹脂を含んだ水分凝固層と、及び
前記水分凝固層を支持して中間が開口された中空部とを有する板形支持部材と、及び
前記板形支持部材を英文アルファベットＣ字形態で維持させる形態維持ワイヤ
を含む携帯型小便器。
【請求項２】
前記携帯型小便器は、
前記板形支持部材を覆って前記中空部と対応される部位にスリットが形成される第１吸水性不織布をさらに含むことを特徴とする請求項１に記載の携帯型小便器。
【請求項３】
前記第１吸水性不織布は前記板形支持部材に付着されることを特徴とする請求項２に記載の携帯型小便器。
【請求項４】
前記携帯型小便器は、
前記水分凝固層のうちで前記板形支持部材に向ける面の反対面を囲んで前記第１吸水性不織布の周り部に周り部が付着されるビニル部材をさらに含むことを特徴とする請求項３に記載の携帯型小便器。
【請求項５】
前記ビニル部材は、
生分解性ビニルであることを特徴とする請求項４に記載の携帯型小便器。
【請求項６】
前記携帯型小便器は、
前記ビニル部材内部で前記水分凝固層を全体的に囲む第２吸水性不織布をさらに含むことを特徴とする請求項４に記載の携帯型小便器。
【請求項７】
前記第２吸水性不織布のうちで前記ビニル部材に向ける面は前記ビニル部材に付着されることを特徴とする請求項６に記載の携帯型小便器。
【請求項８】
前記スリットは十字形態で形成されることを特徴とする請求項２に記載の携帯型小便器。
【請求項９】
前記板形支持部材は、
前後方向に長い形状をして、
前記中空部は、
前後方向に長い楕円形状を有して、
前記板形支持部材は、
前記中空部を基準に左側及び右側にそれぞれ置かれる左側部及び右側部と、及び
前記中空部を基準に前方及び後方にそれぞれ置かれる前方部及び後方部を含んで、
前記携帯型小便器は、
前記板形支持部材の前記左側部または前記右側部を補強する補強部材をさらに含むことを特徴とする請求項１に記載の携帯型小便器。
【請求項１０】
前記形態維持ワイヤは、
前記板形支持部材を囲む形態の単一閉曲線をなして、
前記板形支持部材の縁に沿って具備されることを特徴とする請求項１に記載の携帯型小便器。
【請求項１１】
前記形態維持ワイヤは、
復元力を有する弾性材質でなされることを特徴とする請求項１０に記載の携帯型小便器。
【請求項１２】
前記形態維持ワイヤは、
前記中空部を間に位置させる中心部と、及び
前記中心部の両端にそれぞれ延長されて前記中心部を間に位置させる両端部を含んで、
前記中心部と前記両端部はお互いに一つの胴体でなされることを特徴とする請求項１０に記載の携帯型小便器。
【請求項１３】
前記形態維持ワイヤは、
前記中空部を間に位置させる中心部と、
前記中心部の両端にそれぞれ延長されて前記中心部を間に位置させる両端部と、及び
前記両端部それぞれを前記中心部に対して回動可能に具備させるそれぞれの回動部を含むことを特徴とする請求項１０に記載の携帯型小便器。
【請求項１４】
前記形態維持ワイヤは、
前記中空部を間に位置させる中心部と、
前記中心部の両端にそれぞれ延長されて前記中心部を間に位置させる両端部と、及び
前記両端部それぞれを前記中心部に対してスライディング可能に具備させるスライダー部を含むことを特徴とする請求項１０に記載の携帯型小便器。
【発明の詳細な説明】
【技術分野】
【０００１】
本発明は、携帯型小便器に関するものである。
【背景技術】
【０００２】
一般に、小便器は、人間の物質代謝の結果体内で生じた多くの老廃物を水溶液の形態で蓄積して貯蔵した溶液で膀胱に貯蔵されていながら、その量が一定限界に達すれば体外に排出される小便に対してこれを受けるために使われる便器である。
【０００３】
既存の小便器は、女性用と男性用で帯別され、女性用小便器としてはトイレの各仕切り内に固定されて設置された座便器をそのまま利用しているし、男性用小便器としてはトイレに固定設置された別途の壁掛け型や垂直型の小便器が使われる。
【０００４】
しかし、既存の小便器はトイレに固定されているので、運転中、店運営中、挙動が難しい時、山岳や長距離旅行中、室外集会中でなどの条件では使用が不可能な問題がある。
【０００５】
例えば、運転中に道が渋滞であるか、またはトイレを捜すことができない時急な尿意を感じるようになれば多くの難しさを感じるようになって、公共トイレを探しても女性の場合並んで待たなければならないし、航空機、汽車、船舶などで他人が使った座便器をそのまま使用するようになって不快感を有するようになる問題がある。個人店の場合店運営中に急な尿意を感じるようになれば店を留守にすることができなくて難しさを感じるようになる。挙動が難しい状況で急な尿意を感じてもトイレに行くことができない問題がある。不慣れな旅先を旅行する間に急な尿意を感じる場合トイレを捜すことができなくて困難に遭う問題がある。団体で集まっている室外集会場所ではトイレを行って来難い。
【０００６】
また、尿失禁、前立腺、残尿などの疾患を有している人々にはトイレを捜すためにいつも緊張の中に生活する問題がある。
【発明の概要】
【発明が解決しようとする課題】
【０００７】
本発明の技術的課題は、既存のトイレを使わなくても手使用が可能な老若男女誰もが携帯しながら急な尿意や排尿を処理することができる携帯型小便器を提供することである。
【課題を解決するための手段】
【０００８】
前記目的を達成するために、本発明の実施例による携帯型小便器は、携帯型小便器で、高吸水性樹脂を含んだ水分凝固層と、前記水分凝固層を支持して中間が開口された中空部とを有する板形支持部材と、及び前記板形支持部材を英文アルファベット「Ｃ」字形態で維持させる形態維持ワイヤを含む。
【０００９】
前述した本発明の実施例による携帯型小便器は、前記板形支持部材を覆って前記中空部と対応される部位にスリットが形成される第１吸水性不織布をさらに含むことができる。
【００１０】
前記第１吸水性不織布は前記板形支持部材に付着することができる。
【００１１】
前述した本発明の実施例による携帯型小便器は、前記水分凝固層の中で前記板形支持部材に向ける面の反対面を囲んで前記第１吸水性不織布の周り部に周り部が付着されるビニル部材をさらに含むことができる。
【００１２】
前記ビニル部材は生分解性ビニルであることができる。
【００１３】
前述した本発明の実施例による携帯型小便器は、前記ビニル部材の内部で前記水分凝固層を全体的に囲む第２吸水性不織布をさらに含むことができる。
【００１４】
前記第２吸水性不織布のなかで前記ビニル部材に向ける面は前記ビニル部材に付着されることができる。
【００１５】
前記スリットは十字形態で形成されることができる。
【００１６】
前記板形支持部材は前後方向に長い形状をすることができて、前記中空部は前後方向に長い楕円形状を有することができるし、前記板形支持部材は、前記中空部を基準に左側及び右側にそれぞれ置かれる左側部及び右側部と、及び前記中空部とを基準に前方及び後方にそれぞれ置かれる前方部及び後方部を含むことができる。この場合、前述した本発明の実施例による携帯型小便器は、前記板形支持部材の前記左側部または前記右側部を補強する補強部材をさらに含むことができる。
【００１７】
前記形態維持ワイヤは、前記板形支持部材を囲む形態の単一閉曲線をなして、前記板形支持部材の縁に沿って具備されることができる。
【００１８】
前記形態維持ワイヤは復元力を有する弾性材質でなされることができる。
【００１９】
一例で、前記形態維持ワイヤは、前記中空部を間に位置させる中心部と、及び前記中心部の両端にそれぞれ延長されて前記中心部を間に位置させる両端部を含んで、前記中心部と前記両端部はお互いに一つの胴体でなされることができる。
【００２０】
他の例で、前記形態維持ワイヤは、前記中空部を間に位置させる中心部と、前記中心部の両端にそれぞれ延長されて前記中心部を間に位置させる両端部と、及び前記両端部それぞれを前記中心部に対して回動可能に具備させるそれぞれの回動部を含むことができる。
【００２１】
また他の例で、前記形態維持ワイヤは、前記中空部を間に位置させる中心部と、前記中心部の両端にそれぞれ延長されて前記中心部を間に位置させる両端部と、及び前記両端部それぞれを前記中心部に対してスライディング可能に具備させるスライダー部を含むことができる。
【発明の効果】
【００２２】
以上のように、本発明の実施例による携帯型小便器は次のような効果を有することができる。
【００２３】
本発明の実施例によれば、水分凝固層と、板形支持部材と、そして形態維持ワイヤを含む技術構成を提供するので、既存のトイレを使わなくても手使用が可能な老若男女誰もが携帯してから着用することで急な尿意や排尿を処理することができる。特に、形態維持ワイヤによって胴体に密着された状態を維持することができてパンティーなどの服を下げなくても小便の漏出なしに小便を見られるので、場所、環境、姿勢などに無関係に使用することができる。また、小便が水分凝固層で凝固されるので小便においによる悪臭を阻むことができる。延いては、携帯型小便器の普及で公共トイレの個数を減らすことができるし、環境を改善することができる。
【００２４】
また、本発明の実施例によれば、スリットが形成された第１吸水性不織布をさらに含む技術構成を提供するので、第１吸水性不織布がスリットを通じて持ち上げられながら使用後小便が付いた肌を拭くうことができる。
【００２５】
また、本発明の実施例によれば、生分解性ビニルが使われるので、環境汚染を最小化することができる。
【図面の簡単な説明】
【００２６】
【図１】本発明の一実施例による携帯型小便器を概略的に示した平面図である。
【図２】図１の携帯型小便器をＩＩ−ＩＩ線で切って見た断面図である。
【図３】図１の携帯型小便器に小便が吸収された状態を概略的に示した図面である。
【図４】図１の携帯型小便器のうちで形態維持ワイヤの一例を概略的に示した斜視図である。
【図５】形態維持ワイヤの他の例を概略的に示した斜視図である。
【図６】形態維持ワイヤのまた他の例を概略的に示した斜視図である。
【発明を実施するための形態】
【００２７】
以下、添付した図面を参照にして本発明の実施例に対して本発明が属する技術分野で通常の知識を有した者が容易に実施できるように詳しく説明する。しかし、本発明はいろいろ相異な形態で具現されることができるし、ここで説明する実施例に限定されない。
【００２８】
図１は、本発明の一実施例による携帯型小便器を概略的に示した平面図であり、図２は図１の携帯型小便器をＩＩ‐ＩＩ線で切って見た断面図であり、そして、図３は図１の携帯型小便器に小便が吸収された状態を概略的に示した図面である。
【００２９】
図４は、図１の携帯型小便器のうちで形態維持ワイヤの一例を概略的に示した斜視図であり、図５は形態維持ワイヤの他の例を概略的に示した斜視図であり、そして、図６は形態維持ワイヤのまた他の例を概略的に示した斜視図である。
【００３０】
本発明の一実施例による携帯型小便器１００は、図１乃至図６に示されたように、水分凝固層１１０と、板形支持部材１２０と、そして形態維持ワイヤ（Ｗ）を含む。以下、図１乃至図６を続いて参照し、各構成要素に対して詳しく説明する。
【００３１】
水分凝固層１１０は、図２及び図３に示されたように、排尿される小便を直接的に吸収する構成要素であり、高吸水性樹脂（ＳＡＰ；ｓｕｐｅｒ  ａｂｓｏｒｂｅｎｔ  ｐｏｌｙｍｅｒ）１１１を含む。ここで、高吸水性樹脂１１１は、知られたように、自分の重さより数十倍から数百倍まで水を吸収することができるし、かなりの圧力にも水を放出しない特性を有している。よって、１回小便量の最大値に合わせて高吸水性樹脂１１１の量を調節して水分凝固層１１０をなすようになれば、排尿される小便をすべて吸収して凝固させることができるようになる。
【００３２】
板形支持部材１２０は、図１乃至図３に示されたように、水分凝固層１１０を支持する構成要素である。よって、使用者が本発明の携帯型小便器１００を取って股の間に本発明の携帯型小便器１００を入れる時、板形支持部材１２０によって本発明の携帯型小便器１００の形態が維持されるので、水分凝固層１１０がしわくちゃにならないで円滑に股の間に挿入されることができ、手使用が可能な人なら誰もいつどこでも着用することができる。例えば、板形支持部材１２０としては、板紙のような硬質の紙やプラスチックのような弾性の良い材質が使われることができる。
【００３３】
そして、図１乃至図３に示されたように、板形支持部材１２０の中には中空部１２１が開口されるので、板形支持部材１２０があってもこの中空部１２１を通じて使用者の小便が円滑に水分凝固層１１０に案内されることができる。
【００３４】
形態維持ワイヤ（Ｗ）は、使用者の身体で本発明の携帯型小便器１００が抜けないように本発明の携帯型小便器１００を使用者の身体に密着させるための構成要素である。このような形態維持ワイヤ（Ｗ）は、図４に示されたように、英文アルファベット「Ｃ」字形態で湾曲された形状を有することができる。よって、形態維持ワイヤ（Ｗ）によって板形支持部材１２０が「Ｃ」字形態で維持されることができて、本発明の携帯型小便器１００を使用者の股の間で入れる場合本発明の携帯型小便器１００は形態維持ワイヤ（Ｗ）によって使用者の股の間と骨盤を囲んで使用者の身体に密着されることができる。窮極的に、本発明の携帯型小便器１００と使用者の身体との間で小便が漏出されることを防止することができる。
【００３５】
延いては、このような形態維持ワイヤ（Ｗ）は、図４に示されたように板形支持部材１２０を囲む形態の単一閉曲線をなして、図１乃至図３に示されたように板形支持部材１２０の縁に具備されることができる。
【００３６】
また、形態維持ワイヤ（Ｗ）は、復元力を有する弾性材質でなされることができる。よって、使用者の身体大きさに合うように形態維持ワイヤ（Ｗ）が離れるか、または収縮されながら使用者の身体に密着されることができる。
【００３７】
このような形態維持ワイヤ（Ｗ１）は、図４乃至図６に示したように、三種類の実施例を有することができる。一実施例で、図４に示されたように、形態維持ワイヤ（Ｗ１）は、板形支持部材１２０の中空部１２１を間に位置させる中心部１７１と、中心部１７１の両端にそれぞれ延長されて中心部１７１を間に位置させる両端部１７２を含むことができるし、中心部１７１と両端部１７２はお互いに一つの胴体でなされることができる。
【００３８】
他の例で、図５に示されたように、形態維持ワイヤ（Ｗ２）は、板形支持部材１２０の中空部１２１を間に位置させる中心部２７１と、中心部２７１の両端にそれぞれ延長されて中心部２７１を間に位置させる両端部２７２と、そして両端部２７２それぞれを中心部２７１に対して回動可能に具備させるそれぞれの回動部２７３を含むことができる。よって、回動部２７３によって羽部位に該当する両端部２７２を中心部２７１で折ったり開けたりすることができ、使用前及び使用後に折って嵩を減らして保管することができるし、使用時に開けて使用することができる。ここで、回動部２７３はヒンジ軸２７３ａなどを通じて具現されることができる。
【００３９】
また他の例で、図６に示されたように、形態維持ワイヤ（Ｗ３）は、板形支持部材１２０の中空部１２１を間に位置させる中心部３７１と、中心部３７１の両端にそれぞれ延長されて中心部３７１を間に位置させる両端部３７２と、そして両端部３７２それぞれを中心部３７１に対してスライディング可能に具備させるスライダー部３７３を含むことができる。よって、スライダー部３７３によって羽部位に該当する両端部３７２を中心部３７１に入れたり抜いたりすることができ、使用前及び使用後に入れて嵩を減らして保管することができるし、使用時抜いて使用することができる。ここで、スライダー部３７３は引入出孔３７３ａなどを通じて具現されることができる。
【００４０】
したがって、水分凝固層１１０と、板形支持部材１２０と、そして形態維持ワイヤ（Ｗ）を含む携帯型小便器１００を提供するので、既存のトイレを使わなくても手使用が可能な老若男女誰もが携帯してから着用することで急な尿意や排尿を処理することができる。特に、形態維持ワイヤ（Ｗ）によって胴体に密着された状態を維持することができてパンティーなどの服を下げなくても小便の漏出なしに小便を見られるので、場所、環境、姿勢などに無関係に使用することができる。また、小便が水分凝固層１１０で凝固されるので小便においによる悪臭を阻むことができる。延いては、本発明の携帯型小便器１００の普及で公共トイレの個数を減らすことができるし環境を改善することができる。
【００４１】
これと併せて、本発明の一実施例による携帯型小便器１００は、図１乃至図３に示されたように、第１吸水性不織布１３０をさらに含むことができる。第１吸水性不織布１３０は板形支持部材を覆って中空部１２１と対応される部位にスリット（ｓｌｉｔ）１３１が形成されることができる。
【００４２】
したがって、排尿が進行される間には小便の圧力で第１吸水性不織布１３０が水分凝固層１１０を向けて移動されてスリット１３１が開かれながらスリット１３１を通じて小便が円滑に水分凝固層１１０に移動されることができるし、水分凝固層１１０で一部再跳ねる小便は第１吸水性不織布１３０で遮られることができるし、また小便を吸収した水分凝固層１１０の嵩が膨張されながらその膨張される力とスリット１３１によって第１吸水性不織布１３０が肌に向けて持ち上げられながら使用者が本発明の携帯型小便器１００を身体から除去する場合に持ち上げられた第１吸水性不織布１３０によって肌に付いた小便が拭かれることができる。
【００４３】
延いては、図１に示されたように、スリット１３１は十字形態で形成されることができる。よって、排尿が進行される間にはスリット１３１が十字形態で充分に開かれることができるし、水分凝固層１１０で一部再跳ねる小便は、第１吸水性不織布１３０で遮られることができるし、また小便を吸収した水分凝固層１１０の嵩が膨張されながらその膨張される力と十字形態のスリットによって第１吸水性不織布１３０の４箇所が肌に向けて持ち上げられながら小便が付いた肌を充分に拭くことができる。
【００４４】
特に、第１吸水性不織布１３０は接着剤（図示せず）を通じて板形支持部材に付着することができる。ここで、接着剤は製造工程ライン上にホットメルト（ｈｏｔ  ｍｅｌｔ）タイプで供給されることができる。
【００４５】
これと併せて、前述した本発明の一実施例による携帯型小便器１００は、図２及び図３に示されたように、ビニル部材１４０をさらに含むことができる。ビニル部材１４０は、水分凝固層１１０のうち板形支持部材１２０に向ける面の反対面を囲んで第１吸水性不織布１３０の周り部にその周り部が接着剤（図示せず）を通じて付着されることができる。よって、水分凝固層１１０がビニル部材１４０によって囲まれることができて、使用後捨てる前まで小便においなどが漏れることを最小化することができる。
【００４６】
特に、接着剤は製造工程ライン上にホットメルト（ｈｏｔ  ｍｅｌｔ）タイプで供給されることができる。また、ビニル部材１４０としては生分解性ビニルが使われることができる。生分解性ビニルはおおよそ４５日程度なら分解されるので、環境汚染を最小化することができる。
【００４７】
これと併せて、前述した本発明の一実施例による携帯型小便器１００は、図１乃至図３に示されたように、第２吸水性不織布１５０をさらに含むことができる。第２吸水性不織布１５０はビニル部材１４０の内部で水分凝固層１１０を全体的に囲むことができる。よって、水分凝固層１１０に含有された高吸水性樹脂が第１吸水性不織布１３０のスリット１３１を通じて外部に離脱されることを阻むことができる。
【００４８】
特に、第２吸水性不織布１５０のうちビニル部材１４０に向ける面はビニル部材１４０に接着剤（図示せず）を通じて付着することができる。ここで、接着剤は製造工程ライン上にホットメルト（ｈｏｔ  ｍｅｌｔ）タイプで供給されることができる。
【００４９】
延いては、図１に示されたように、板形支持部材１２０は前後方向に長い形状をすることができて、中空部１２１は前後方向に長い楕円形状を有することができる。また、板形支持部材１２０は、中空部１２１を基準で左側及び右側にそれぞれ置かれる左側部（ＬＰ）及び右側部（ＲＰ）と、中空部１２１を基準に前方及び後方にそれぞれ置かれる前方部（ＦＰ）及び後方部（ＢＰ）を含むことができる。
【００５０】
この場合、前述した本発明の一実施例による携帯型小便器１００は、図１に示されたように、板形支持部材１２０の左側部（ＬＰ）または右側部（ＲＰ）を補強する補強部材１６０をさらに含むことができる。よって、使用者が本発明の携帯型小便器１００を取って股の間で本発明の携帯型小便器１００を入れる時、板形支持部材１２０及び補強部材１６０によって本発明の携帯型小便器１００の形態がさらによく維持されるので、水分凝固層１１０がしわくちゃにならないでより円滑に挿入されることができる。例えば、補強部材１６０は硬い硬質の紙であることがある。
【００５１】
以上で本発明の望ましい実施例に対して詳細に説明したが、本発明の権利範囲はこれに限定されるものではなく、次の請求範囲で定義している本発明の基本概念を利用した当業者の多くの変形及び改良形態も本発明の権利範囲に属するものである。
【産業上の利用可能性】
【００５２】
本発明は、既存のトイレを使わなくても手使用が可能な老若男女誰も携帯しながら急な尿意や排尿を処理することができるものとして産業上利用可能性があると言える。
【符号の説明】
【００５３】
１００  携帯型小便器
１１０  水分凝固層
１１１  高吸水性樹脂
１２０  板形支持部材
１２１  中空部
１３０  第１吸水性不織布
１３１  スリット
１４０  ビニル部材
１５０  第２吸水性不織布
１６０  補強部材
Ｗ１、Ｗ２、Ｗ３  形態維持ワイヤ
１７１、２７１、３７１  中心部
１７２、２７２、３７２  両端部
２７３  回動部
２７３ａ  ヒンジ軸
３７３  スライダー部
３７３ａ  引入出孔
【図１】
2019512305.tif 000003
【図２】
2019512305.tif 000004
【図３】
2019512305.tif 000005
【図４】
2019512305.tif 000006
【図５】
2019512305.tif 000007
【図６】
2019512305.tif 000008
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
携帯型小便器であり、
高吸水性樹脂を含んだ水分凝固層と、及び
前記水分凝固層を支持して中間が開口された中空部とを有する板形支持部材と、及び
前記板形支持部材を英文アルファベットＣ字形態で維持させる形態維持ワイヤ
を含む携帯型小便器。
【請求項２】
前記携帯型小便器は、
前記板形支持部材を覆って前記中空部と対応される部位にスリットが形成される第１吸水性不織布をさらに含むことを特徴とする請求項１に記載の携帯型小便器。
【請求項３】
前記携帯型小便器は、
前記水分凝固層のうちで前記板形支持部材に向ける面の反対面を囲んで前記第１吸水性不織布の周り部に周り部が付着されるビニル部材をさらに含むことを特徴とする請求項２に記載の携帯型小便器。
【請求項４】
前記形態維持ワイヤは、
前記板形支持部材を囲む形態の単一閉曲線をなして、
前記板形支持部材の縁に沿って具備されることを特徴とする請求項１に記載の携帯型小便器。
【請求項５】
前記形態維持ワイヤは、
前記中空部を間に位置させる中心部と、及び
前記中心部の両端にそれぞれ延長されて前記中心部を間に位置させる両端部を含んで、
前記中心部と前記両端部はお互いに一つの胴体でなされることを特徴とする請求項４に記載の携帯型小便器。
【請求項６】
前記形態維持ワイヤは、
前記中空部を間に位置させる中心部と、
前記中心部の両端にそれぞれ延長されて前記中心部を間に位置させる両端部と、及び
前記両端部それぞれを前記中心部に対して回動可能に具備させるそれぞれの回動部を含むことを特徴とする請求項４に記載の携帯型小便器。
【請求項７】
前記形態維持ワイヤは、
前記中空部を間に位置させる中心部と、
前記中心部の両端にそれぞれ延長されて前記中心部を間に位置させる両端部と、及び
前記両端部それぞれを前記中心部に対してスライディング可能に具備させるスライダー部を含むことを特徴とする請求項４に記載の携帯型小便器。
【国際調査報告】
2019512305.tif 000009
2019512305.tif 000010
2019512305.tif 000011
2019512305.tif 000012